(57)【要約】      （修正有） 【課題】ペットの尿は吸収し、便は外部に排出できるペット用おむつを提供する。【解決手段】ペット用おむつ１は、クッション性を有するシート状のおむつ本体部１０と、円形状の窓部２０と、吸収体３０と、止着部４０と、止着領域を備える。おむつ本体部１０は、ペットの背側胴周りを覆う第１領域１００と、ペットの腹側胴周りを覆う第２領域１２０と、第１領域１００と第２領域１２０の間に位置し、ペットの股下を覆う第３領域１１０とを備える。第２領域１２０及び第３領域１１０に形成された吸収体３０でペットの尿を吸収しつつ、第３領域１１０にペットの尻尾の付け根部分と肛門を含む範囲を開口した円形状の窓部２０を設け、ペットの便をペット用おむつ１の外部に排出することを可能とする。【選択図】図１
0003233816.tif 000002
【実用新案登録請求の範囲】
【請求項１】
ペット用おむつをペットに装着した場合に、ペットの背側胴周りを覆う第１領域と、
ペット用おむつをペットに装着した場合に、ペットの腹側胴周りを覆う第２領域と、
前記第１領域及び前記第２領域の間に前記第１領域及び前記第２領域と一体的に形成され、かつペットの股下を覆う第３領域と、
前記第３領域に設けられ、かつペットの尻尾の付け根部分と肛門を含む範囲を開口した円形状の窓部と、
前記第２領域と前記第３領域に跨るように形成された吸収体と、
を有することを特徴とするペット用おむつ。
【請求項２】
前記第２領域の両端に２以上の止着部と、
前記第１領域の中央に前記止着部と係合する止着領域と、
を有する請求項１に記載のペット用おむつ。
【考案の詳細な説明】
【技術分野】
【０００１】
本考案は、ペット用おむつに関する。
【背景技術】
【０００２】
犬や猫に代表されるペットを、家屋内で飼育することは一般的である。このため、種々のペット用おむつが販売されている。たとえば、特開２０２０−８０８３３号（特許文献１）に記載のペット用おむつは、ペットの尿を吸収する吸収体と、ペットの尻尾を挿通するための尻尾通し用切欠きと、ペットが装着しているペット用おむつのずれ等を防止する係着部と、を備える。
【先行技術文献】
【特許文献】
【０００３】
【特許文献１】特開２０２０−８０８３３号
【特許文献２】実用新案登録３２０３２０７号
【考案の概要】
【考案が解決しようとする課題】
【０００４】
従来のペット用おむつは、ペットの尿を吸収する吸収体と、ペットの尻尾を挿通するための尻尾通し用切欠きと、ペット用おむつのずれ等を防止する係着部を有する。この場合において、ペットの排便がペット用おむつの内側に溜まってしまい、ペットの臀部周辺が汚れてしまうという問題が生じる。
【０００５】
本考案は、このような従来品の問題点に鑑み、考案されたものである。本考案は、ペットの尿についてはペット用おむつに備えた吸収体で吸収しつつ、ペットの便をペット用おむつの外部に排出することを可能とするペット用おむつを提供することを目的とする。
【課題を解決するための手段】
【０００６】
上記課題を解決するため、本考案におけるペット用おむつ１は、ペット用おむつ１をペットに装着した場合に、ペットの背側胴周りを覆う領域１００と、ペットの腹側胴周りを覆う領域１２０と、背側胴周り領域と腹側胴周り領域の間に形成された股下を覆う領域１１０とが一体的形成される。また、ペット用おむつ１は、ペットの股下を覆う領域１１０に位置するペット尻尾の付け根部分と肛門とを含む範囲を開口した円形状の窓部２０と、腹側胴周りを覆う領域１２０及び股下を覆う領域１１０に跨って形成された吸収体３０と、有することを特徴とするペット用おむつである。
【考案の効果】
【０００７】
本考案によると、ペット用おむつ１をペットに装着した状態において、ペットの便をペット用おむつの外部に排出することを可能するという効果を奏する。
【図面の簡単な説明】
【０００８】
【図１】ペット用おむつ１の内側表面を示す、ペット用おむつ１を展開した状態における平面図である。
【図２】ペット用おむつ１の外側表面を示す、ペット用おむつ１を展開した状態における平面図である。
【図３】ペット用おむつ１をペットに装着された状態を示す説明図である。
【考案を実施するための形態】
【０００９】
以下、図面を参照しながら、本考案を実施するための形態を説明する。
[１．構成]
図１及び図２において、ペット用おむつ１がペットに装着されていない状態で、ペット用おむつ１は、クッション性を有するシート状のおむつ本体部１０と、円形状の窓部２０と、吸収体３０と、止着部４０と、及び止着領域５０とを備える。
なお、本実施形態において、たとえば、ペットは、犬である。
【００１０】
おむつ本体１０は、ペットの背側胴周りを覆う第１領域１００と、ペットの腹側胴周りを覆う第２領域１２０と、第１領域１００と第２領域１２０の間に位置し、かつペットの股下を覆う第３領域１１０とを備える。また、おむつ本体１０は、第１領域、第２領域及び第３領域は一体的に形成される。
ここで、内側表面とは、ペットがペット用おむつ１を装着した場合に、ペットに接する側の表面をいう。外側表面とは、ペットがペット用おむつ１を装着した場合に、ペットに接する側と逆側の表面をいう。
おむつ本体１０は、ペット用おむつ１を丸める方向を軸として左右対称である。
おむつ本体１０は、ポリプロピレン、ポリエステル系不織布等で形成される。
【００１１】
円形状の窓部２０は、ペットの尻尾の付け根部分と肛門を含む範囲を開口した半径３ｃｍから半径７ｃｍの円形状の開口である。また、円形状の窓部２０は、第３領域１１０に位置し、ペット用おむつ１を丸める方向と直角方向において、おむつ本体部１０の中央部に位置する。
【００１２】
吸収体３０は、略長方形に形成されている。吸収体３０は、ペットの排尿を吸収するものである。また、吸収体３０は、ペット用おむつ１をペットに装着した場合に、ペット用おむつ１の内側に位置し、第２領域１２０と第３領域１１０に跨る領域に位置する。
吸収体３０は、綿状パルプ、高分子吸水材、吸収紙、及び防水材であるポリプロピレン等から形成される。
【００１３】
止着部４０は、舌片状に形成されている。止着部４０は、第２領域１２０において、ペット用おむつ１を丸める方向と直角方向におむつ本体部１０の両端に位置する。
【００１４】
図２において、止着領域５０は、略長方形に形成されている。止着領域５０は、ペット用おむつ１を丸める方向において第１領域１００の中央部に位置し、ペット用おむつ１を丸める方向と直角方向においておむつ本体部１０の中央部に位置する。
また、ペット用おむつ１をペットに装着した場合に、止着領域５０は、止着部４０と係合するものであり、ペット用おむつの位置がずれたり、脱げ落ちたりするのを防止する。
止着部４０は、ポリプロピレン面状テープ、ポリオレフィン等から形成される。
【００１５】
図３において、第１領域１００をペットの背側胴回りに、第２領域１２０をペットの腹側胴回りに、第３領域１１０をペットの股下領域に位置させて、ペット用おむつ１をペットに装着した状態を示す。
この場合において、ペットの尻尾の付け根部分と肛門を含む範囲を開口した円形状の窓部２０からペットの尻尾２００及び肛門２１０が外部から見える状態となる。
また、ペット用おむつをペットに装着した場合に、舌片状の止着部４０をペットの胴回りに巻き、ペットの背側胴回りの外側に位置する止着領域５０との係合により、ペット用おむつの位置がずれたり、脱げ落ちたりするのを防止する。
【００１６】
[２．効果]
したがって、本考案によると、ペットがペット用おむつ１を装着した状態においても、ペットの便をペット用おむつ１の外部に排出することを可能となる。
以上、本考案を実施するための形態について説明したが、本開示は上述の実施形態に限定されることなく、種々変形して実施することができる。
たとえば、ペットの尻尾の付け根部分と肛門を含む範囲を開口した円形状の窓部２０は、真円形状でなく楕円形状に形成されてもよい。また、止着部４０は、舌片状でなくてもよし、４つあってもよい。
【符号の説明】
【００１７】
１      ペット用おむつ
１０    おむつ本体
２０    円形状の窓部
３０    吸収体
４０    止着部
５０    止着領域
１００  ペットの背側胴回りを覆う第１領域
１１０  ペットの股下を覆う第３領域
１２０  ペットの腹側胴回りを覆う第２領域
２００  ペットの尻尾
２１０  ペットの肛門
【図１】
0003233816.tif 000003
【図２】
0003233816.tif 000004
【図３】
0003233816.tif 000005